(57)【要約】【課題】携帯電話から面倒な入力操作をおこなうことなく、印刷物の内容に応じたウェブコンテンツの配信を受けることができるコンテンツ配信システムを提供する。【解決手段】まず、（１）携帯電話１０から変換サーバ３０に識別コードを送信する。変換サーバ３０は、課金コード管理テーブル４６から識別コードに一致するレコードを検索し、コンテンツ選択サーバ４０のページアドレスを取得する。続いて、（２）携帯電話１０から（１）で取得したページアドレスのコンテンツ選択サーバ４０に接続し、選択部４２において携帯電話の属性、接続回数を用いて印刷物の内容に対応するウェブコンテンツが格納されているページアドレスを取得する。そして、（３）携帯電話１０から（１）で取得したページアドレスを基に特定されるコンテンツサイト５０に接続し、ウェブコンテンツの配信を受ける。【選択図】　　　　図２
2004070652.tif 000002
【特許請求の範囲】
【請求項１】
インターネット経由にて携帯電話にウェブコンテンツを配信するコンテンツ配信システムであって、
印刷物に付された識別コードと当該印刷物の印刷内容に応じたウェブコンテンツを選択するための選択アプリケーションのインターネットアドレスとを相互に対応させた変換テーブルを保持する変換テーブル保持手段と、
インターネットに結合された携帯電話を介して指定された識別コードに対応する選択アプリケーションのインターネットアドレスを、前記変換テーブルを検索することによって取得する第１検索手段と、
取得された前記選択アプリケーションのインターネットアドレスを前記携帯電話のアクセス要求先として提示する第１のアドレス提示手段と、
前記携帯電話が前記選択アプリケーションにアクセスすることによって、前記印刷内容に応じたウェブコンテンツを選択して当該ウェブコンテンツのインターネットアドレスを取得するコンテンツ選択手段と、
取得された前記ウェブコンテンツのインターネットアドレスを前記携帯電話のアクセス要求先として提示する第２のアドレス提示手段と、
を備えることを特徴とするコンテンツ配信システム。
【請求項２】
請求項１記載のコンテンツ配信システムにおいて、
前記コンテンツ選択手段は、前記携帯電話の属性を特定する属性特定手段を備えるとともに、特定された前記携帯電話の属性に適応するウェブコンテンツを選択することを特徴とするコンテンツ配信システム。
【請求項３】
請求項２記載のコンテンツ配信システムにおいて、
前記属性特定手段によって前記携帯電話が動画再生機能および音声出力機能を備えていることが判明したときには、前記コンテンツ選択手段は、動画および音声を含むウェブコンテンツを選択することを特徴とするコンテンツ配信システム。
【請求項４】
請求項１から請求項３のいずれかに記載のコンテンツ配信システムにおいて、
前記コンテンツ選択手段は、前記携帯電話から前記選択アプリケーションへのアクセス回数を計数する計数手段をさらに備え、計数された前記携帯電話からのアクセス回数に応じたウェブコンテンツを選択することを特徴とするコンテンツ配信システム。
【請求項５】
請求項４記載のコンテンツ配信システムにおいて、
同一の携帯電話から前記選択アプリケーションへのアクセス回数とウェブコンテンツ群とを相互に対応させた選択テーブルを保持する選択テーブル保持手段をさらに備え、
前記コンテンツ選択手段は、
前記選択テーブルを検索することによって前記携帯電話から前記選択アプリケーションへのアクセス回数に対応するウェブコンテンツ群を取得する第２検索手段と、
取得された前記ウェブコンテンツ群のうちから配信すべきウェブコンテンツを決定する決定手段と、
をさらに備えることを特徴とするコンテンツ配信システム。
【請求項６】
請求項１から請求項５のいずれかに記載のコンテンツ配信システムにおいて、
前記印刷物はトレーディングカードであることを特徴とするコンテンツ配信システム。
【請求項７】
請求項６記載のコンテンツ配信システムにおいて、
前記トレーディングカードには所定金額の課金コードが付与され、
前記携帯電話からは前記識別コードとともに課金コードが指定され、
前記携帯電話へのウェブコンテンツの配信時に前記課金コードの残額から配信料を減額する課金手段をさらに備えることを特徴とするコンテンツ配信システム。
【発明の詳細な説明】
【０００１】
【発明の属する技術分野】
本発明は、識別コードを利用して携帯電話にウェブコンテンツを配信するシステムに関する。
【０００２】
【従来の技術】
昨今、ブラウザ機能を搭載した携帯電話が急速に普及している。このブラウザ機能を搭載した携帯電話を利用し、インターネット上に存在するウェブサイトに格納されている動画像データ、静止画像データや音声データ等のコンテンツ（以下、「ウェブコンテンツ」とも呼ぶ）へのアクセスが盛んに行われている。
【０００３】
ところで、インターネット上の各ウェブコンテンツには、それぞれ異なったページアドレス（たとえば、ＵＲＬ（Ｕｎｉｆｏｒｍ　Ｒｅｓｏｕｒｃｅ　Ｌｏｃａｔｏｒ））が割り付けられている。ここで、ページアドレスとは、アルファベット、数字、記号からなる文字列によって構成されており、特定のウェブコンテンツをインターネット上から一義的に決定するために使用されるものである。このように、ページアドレスは、特定のウェブコンテンツのインターネット上での住所のような役割を果たす。そのため、携帯電話の利用者（単に、「利用者」とも呼ぶ）が目的とする特定のウェブコンテンツの内容を携帯電話の画面に表示させるためには、携帯電話上に配置された数字キーやファンクションキー等を使用してページアドレスを入力し、目的とするウェブコンテンツにアクセスする必要がある。
【０００４】
しかし、このページアドレスは、通常、長い文字列によって構成されており、ブラウザにおいてページアドレスの文字列を入力することは煩雑な操作である。特に、携帯電話等の小型の携帯端末にあっては、数字キーやファンクションキー等のボタンが小さい上に狭い間隔で配置されているため、長い文字列を入力する操作は非常に煩雑である。
【０００５】
【背景となる技術】
そこで、以上の問題を解決するため、数桁の数字のみによって構成された識別コードを携帯電話から入力することによって、目的のウェブコンテンツへのアクセスを可能とするモバイルウェブシステムが提案されている。
【０００６】
モバイルウェブシステムは、インターネット上に設けられ、識別コードとウェブコンテンツのページアドレスとを１対１に対応付けて格納した変換テーブルを有する変換サーバを備えている。この変換サーバにアクセスした携帯電話から特定の識別コードが指定されると、変換サーバは、この特定の識別コードに対応するページアドレスを変換テーブルから抽出し、抽出されたページアドレスを携帯電話に送信する。そして、このページアドレスを受信した携帯電話は、当該ページアドレスで指定されるウェブコンテンツにアクセスすることにより、目的とするウェブコンテンツの配信を受け、その内容を携帯電話の画面に表示することができる。
【０００７】
さらに、このモバイルシステムを使用することにより、以下のようなサービスを提供することも可能である。例えば、トレーディングカード等の印刷物を企画・販売する事業者が、識別コードを当該印刷物に付して販売する。この印刷物の購入者が、携帯電話のブラウザ機能を利用して前述の変換サーバにアクセスし、識別コードを入力すると、印刷物の内容に関連する動画像、静止画像等のコンテンツが携帯電話の画面に表示される。このように、印刷物を企画・販売する事業者は、印刷物の購入者に対して、印刷物の内容に関連するウェブコンテンツを提供するサービスも行うことができる。
【０００８】
【発明が解決しようとする課題】
しかしながら、従来においては上述の変換サーバに格納されている変換テーブルに、識別コードとページアドレスとを１対１に対応付けて格納しているため、１つの識別コードによって表示されるウェブコンテンツは１つに限定されてしまう。ここで、１つの識別コードを入力するだけで同一の印刷物の内容に関連する複数のコンテンツを提供することができれば、利用者のアクセス意欲をさらに喚起することもできる。
【０００９】
また、近年の携帯電話の多機能化に伴って、利用者が所有する携帯電話の機能も多様化しており、同じ識別コードを入力しても携帯電話の機能に応じた最適なコンテンツを配信することが求められている。
【００１０】
そこで、本発明では、携帯電話の利用者が識別コードを利用することにより、面倒な入力操作をおこなうことなく印刷物の内容に応じたウェブコンテンツの配信を受けることができるコンテンツ配信システムを提供することを目的とする。
【００１１】
【課題を解決するための手段】
上記課題を解決すべく、請求項１に記載の発明は、インターネット経由にて携帯電話にウェブコンテンツを配信するコンテンツ配信システムであって、印刷物に付された識別コードと当該印刷物の印刷内容に応じたウェブコンテンツを選択するための選択アプリケーションのインターネットアドレスとを相互に対応させた変換テーブルを保持する変換テーブル保持手段と、インターネットに結合された携帯電話を介して指定された識別コードに対応する選択アプリケーションのインターネットアドレスを、前記変換テーブルを検索することによって取得する第１検索手段と、取得された前記選択アプリケーションのインターネットアドレスを前記携帯電話のアクセス要求先として提示する第１のアドレス提示手段と、前記携帯電話が前記選択アプリケーションにアクセスすることによって、前記印刷内容に応じたウェブコンテンツを選択して当該ウェブコンテンツのインターネットアドレスを取得するコンテンツ選択手段と、取得された前記ウェブコンテンツのインターネットアドレスを前記携帯電話のアクセス要求先として提示する第２のアドレス提示手段と、を備えることを特徴とする。
【００１２】
請求項２に記載の発明は、請求項１記載のコンテンツ配信システムにおいて、前記コンテンツ選択手段は、前記携帯電話の属性を特定する属性特定手段を備えるとともに、特定された前記携帯電話の属性に適応するウェブコンテンツを選択することを特徴とする。
【００１３】
請求項３に記載の発明は、請求項２記載のコンテンツ配信システムにおいて、前記属性特定手段によって前記携帯電話が動画再生機能および音声出力機能を備えていることが判明したときには、前記コンテンツ選択手段は、動画および音声を含むウェブコンテンツを選択することを特徴とする。
【００１４】
請求項４に記載の発明は、請求項１から請求項３のいずれかに記載のコンテンツ配信システムにおいて、前記コンテンツ選択手段は、前記携帯電話から前記選択アプリケーションへのアクセス回数を計数する計数手段をさらに備え、計数された前記携帯電話からのアクセス回数に応じたウェブコンテンツを選択することを特徴とする。
【００１５】
請求項５に記載の発明は、請求項４記載のコンテンツ配信システムにおいて、同一の携帯電話から前記選択アプリケーションへのアクセス回数とウェブコンテンツ群とを相互に対応させた選択テーブルを保持する選択テーブル保持手段をさらに備え、前記コンテンツ選択手段は、前記選択テーブルを検索することによって前記携帯電話から前記選択アプリケーションへのアクセス回数に対応するウェブコンテンツ群を取得する第２検索手段と、取得された前記ウェブコンテンツ群のうちから配信すべきウェブコンテンツを決定する決定手段と、をさらに備えることを特徴とする。
【００１６】
請求項６に記載の発明は、請求項１から請求項５のいずれかに記載のコンテンツ配信システムにおいて、前記印刷物はトレーディングカードであることを特徴とする。
【００１７】
請求項７に記載の発明は、請求項６記載のコンテンツ配信システムにおいて、前記トレーディングカードには所定金額の課金コードが付与され、前記携帯電話からは前記識別コードとともに課金コードが指定され、前記携帯電話へのウェブコンテンツの配信時に前記課金コードの残額から配信料を減額する課金手段をさらに備えることを特徴とする。
【００１８】
【発明の実施の形態】
以下、図面を参照しつつ本発明の実施の形態について詳細に説明する。
【００１９】
＜１．システム構成＞
図１に、本発明の実施形態におけるコンテンツ配信システムの全体構成を示す。図１に示すようにコンテンツ配信システムは、主として、携帯電話１０、変換サーバ３０、コンテンツ選択サーバ４０およびコンテンツサイト５０から構成されており、各構成要素はインターネット２０を介して接続されている。
【００２０】
次に、コンテンツ配信システムの各構成要素について説明する。図２は、コンテンツ配信システムを構成する各要素の機能に着目したブロック図を示す。なお、コンテンツ選択サーバ４０ｂ、４０ｃの機能的構成は、コンテンツ選択サーバ４０ａと略同一なため、以下ではコンテンツ選択サーバ４０ａについてのみ説明する。また、同様な理由のため、コンテンツサイト５０ａ〜５０ｃについては、コンテンツサイト５０ａについてのみ説明する。
【００２１】
携帯電話１０は、ブラウザ１１を備えている。ここで、ブラウザとは、ＷＷＷサーバアプリケーションによって提供されるデジタル化された文字データや、静止画像データ、動画像データ、音声データ等の情報を画面１２に表示するプログラムである。携帯電話１０では、このブラウザの機能を使用することにより、インターネット２０を介して変換サーバ３０、コンテンツ選択サーバ４０およびコンテンツサイト５０から配信されるウェブコンテンツを画面１２（図３参照）に表示することができる。
【００２２】
変換サーバ３０は、後述する識別コードが利用者によって入力されると、当該識別コードに応じたコンテンツ選択サーバ４０のページアドレスを携帯電話１０に送信するサーバであり、主として、ＷＷＷサーバアプリケーション３１、変換テーブル３４および変換部３２とから構成されている。
【００２３】
ＷＷＷサーバアプリケーション（以下、単に「ＷＷＷ」と呼ぶ）３１は、記憶装置３５に格納された数字・文字・記号からなる文字列データ、静止画像、動画像等のウェブコンテンツ３６を、携帯電話１０のブラウザ１１の要求に応じ、インターネット２０を介して配信するとともに、携帯電話１０から送信される文字列データ等を受信するアプリケーションである。本実施形態においては、携帯電話１０のブラウザ１１の要求に応じて、ウェブコンテンツ３６に含まれる識別コード入力画面３６１がＷＷＷ３１から携帯電話１０に配信され、携帯電話１０では、図３（ａ）に示す識別コード入力画面３６１が画面１２に表示される。
【００２４】
ここで、識別コード６１とは、複数の数字によって構成される文字列であり、例えば、テレフォンカード、プリペイドカードおよび図４に示すトレーディングカード６０等の印刷物に記載される。利用者が識別コード入力画面３６１に識別コード６１を入力してボタン３６２を押すと、携帯電話１０の画面１２には、後述するコンテンツ選択サーバ４０によって特定されるコンテンツサイト５０から配信されるウェブコンテンツが表示される。また、トレーディングカード６０とは、アニメーションや映画に登場するキャラクター、プロスポーツ選手、アイドル歌手および女性モデル等のイラストや写真が印刷された印刷物である。
【００２５】
変換テーブル３４は、識別コードと後述するコンテンツ選択サーバ４０のページアドレスとを関連付けて格納するテーブルであり、記憶装置３３に保存されている。図５は、変換テーブル３４の一例を示したものである。図５に示すように、変換テーブル３４は、複数のフィールド（「識別ＩＤ」、「ページアドレス」）から構成されている。「識別ＩＤ」は、変換テーブル３４に格納されている複数のレコード（行方向のデータの集合）から所定のレコードを一意に識別するのに使用される番号である。また、図５に示す「ページアドレス」には、コンテンツ選択サーバ４０のページアドレスが「識別ＩＤ」と関連付けて格納されている。
【００２６】
変換部３２では、利用者によって入力される識別コードを、コンテンツ選択サーバ４０のページアドレスに変換する処理を行う。この変換処理は、以下の手順によって行われる。まず、利用者によって入力された識別コードは、ＷＷＷ３１を介して変換部３２に渡される。次に、変換テーブル３４の「識別ＩＤ」を検索して、「識別ＩＤ」と識別コードとが一致するレコードを抽出する。そして、抽出されたレコードの「ページアドレス」に格納された値をコンテンツ選択サーバ４０のページアドレスとする。なお、変換部３２において変換されたコンテンツ選択サーバ４０のページアドレスは、ＷＷＷ３１を介して携帯電話１０に送信され、携帯電話１０は、当該ページアドレスを使用してコンテンツ選択サーバ４０（４０ａ〜４０ｃ）にアクセスする。
【００２７】
コンテンツ選択サーバ４０ａは、携帯電話１０の属性と、携帯電話１０が当該コンテンツ選択サーバ４０ａにアクセスしたアクセス回数とに基づいて配信されるウェブコンテンツのページアドレスを特定し、携帯電話１０に当該ページアドレスを送信するとともに、携帯電話１０への配信状況に応じて課金処理を行うサーバである。図２に示すように、コンテンツ選択サーバ４０ａは、主として、ＷＷＷ４１、課金コード管理テーブル４６、コンテンツサイト用テーブル４４および選択部４２とから構成されている。
【００２８】
ＷＷＷ４１は、ＷＷＷ３１と同様の機能を有するアプリケーションであり、携帯電話１０のブラウザ１１の要求に応じてウェブコンテンツを配信するとともに、携帯電話１０から送信される文字列データ等を受信する。
【００２９】
課金コード管理テーブル４６は、選択部４２において課金処理を行う際に使用されるテーブルであり、記憶装置４５に格納されている。図６に課金コード管理テーブル４６の一例を示す。図６に示すように、課金コード管理テーブル４６は、複数のフィールド（「課金ＩＤ」、「暗証コード」、「配信回数」、「配信上限数」）を有する。
【００３０】
「課金ＩＤ」は、課金コード管理テーブル４６に格納されている複数のレコード（行方向のデータの集合）から所定のレコードを一意に識別するのに使用される複数の英数字および記号からなる文字列データであり、図３（ｂ）に示す課金コード入力画面４８３によって入力される課金コードに対応するものである。「暗証コード」は、図３（ｂ）に示す課金コード入力画面４８３によって入力されるパスワードに対応するものであり、複数の英数字および記号からなる文字列である。
【００３１】
ここで、課金コードおよびパスワードは、トレーディングカード６０等の印刷物が販売される際に、当該印刷物とともに利用者に配布される課金カード７０に記載された文字列である。図７に課金カード７０の一例を示す。課金カード７０は、トレーディングカード６０に関連するウェブコンテンツの配信を受けるためのウェブコンテンツ使用料が前払いされていることを示すもので、いわゆるプリペイド方式を採用している。ウェブコンテンツ使用料は、印刷物の販売価格に含まれており、利用者は課金コード入力画面４８３から課金コードおよびパスワードを入力することにより、ウェブコンテンツ使用料を限度としてウェブコンテンツの配信を受けることができる。なお、本実施形態では、後述するように、ウェブコンテンツ使用料に相当する配信上限数を予め定め、ウェブコンテンツの配信回数がこの配信上限回数を越えない範囲で配信する課金方法を採用しているが、これに限定されるものでなく、例えば、ウェブコンテンツ使用料から、配信されるウェブコンテンツのデータ量に応じてウェブコンテンツ配信料を減額する方法であってもよい。
【００３２】
「配信回数」は、利用者がコンテンツ選択サーバ４０ａによって特定されたコンテンツサイト５０（５０ａ〜５０ｃ）からウェブコンテンツの配信を受けた回数である。また、「配信上限数」は、利用者から予め徴収したウェブコンテンツ使用料に対応するもので、利用者がコンテンツ選択サーバ４０ａを介してウェブコンテンツの配信を受けることのできる回数の上限を示すものである。
【００３３】
コンテンツサイト用テーブル４４は、選択部４２において利用者に配信されるウェブコンテンツを特定する際に使用されるテーブルであり、記憶装置４３に格納されている。図８にコンテンツサイト用テーブル４４の一例を示す。図８に示すように、コンテンツサイト用テーブル４４は、複数のフィールド（「コンテンツＩＤ」、「コンテンツ属性」、「接続回数」、「分岐コード」、「ページアドレス」）から構成される。
【００３４】
「コンテンツＩＤ」は、コンテンツサイト用テーブル４４に格納されている複数のレコード（行方向のデータの集合）から所定のレコードを一意に識別するのに使用される複数の英数字および記号からなる文字列データである。
【００３５】
「コンテンツ属性」は、「ページアドレス」で特定されるページアドレスに格納されているウェブコンテンツの種別を示すものである。なお、本実施形態において、「コンテンツ属性」＝「１０」の場合は、音声データとともに再生される動画像データを、「コンテンツ属性」＝「２０」の場合は、静止画像データを、「コンテンツ属性」＝「３０」の場合は、音声データをそれぞれ示している。また、ウェブコンテンツの種別は以上の３つに限定されるものでなく、例えば、静止画像データと音声データとの組み合わせや、動画像データのみであってもよい。
【００３６】
「接続回数」は、携帯電話１０がコンテンツ選択サーバ４０ａに接続した回数に該当するものである。後述する選択部４２は、「接続回数」に応じてウェブコンテンツのページアドレスを特定し、利用者に、各接続毎に異なったウェブコンテンツ（例えば、携帯電話１０にウェブコンテンツとして、音声データとともに再生される動画像データが配信される場合、１回目と２回目とで、トレーディングカード６０等の印刷物に描かれたキャラクターや女性モデルの表情、動作、服装等が異なったもの）を配信することができる。
【００３７】
「分岐コード」は、同一「接続回数」で異なったウェブコンテンツのページアドレスを指定するのに使用される。例えば、「コンテンツＩＤ」が、「１００２３」、「１００２４」、「１００２５」の各レコードについて着目すると、それぞれのレコードの「コンテンツ属性」および「接続回数」は、それぞれ＝「１０」および「３」と同一であるが、「分岐コード」が、「０」、「１」、「２」と異なる。そのため、各レコードはそれぞれ異なったウェブコンテンツのページアドレスを指定することができる。
【００３８】
ところで、図８に示すように、コンテンツサイト用テーブル４４には、「接続回数」および「分岐コード」の値が同一で、かつ、「コンテンツ属性」が異なるレコードが存在する。例えば、「コンテンツＩＤ」が、「１００２１」、「１００２６」、「１００２７」の各レコードについて着目すると、それぞれのレコードの「接続回数」および「分岐コード」は、それぞれ＝「１」および「０」と同一であるが、「コンテンツ属性」は、それぞれ、「１０」、「２０」、「３０」と異なり、それぞれ異なった種別のウェブコンテンツのページアドレスが指定される。これは、携帯電話１０の種類によっては、動画像データを再生する機能や、音声データを再生する機能を有しないものがあることを考慮にいれたものであり、それらの携帯電話１０でも最適なウェブコンテンツが表示され、音声が再生されるように種々のウェブコンテンツが用意されている。
【００３９】
選択部４２は、コンテンツ選択サーバ４０ａにアクセスした携帯電話１０の属性と、課金コード入力画面４８３によって入力された課金コードおよびパスワードと、課金コード管理テーブル４６と、コンテンツサイト用テーブル４４とを使用することにより、携帯電話１０からコンテンツ選択サーバ４０ａへの接続回数および携帯電話１０の属性に応じた最適なウェブコンテンツのページアドレスを選択する（ウェブコンテンツのページアドレス選択手順については後に詳述）。なお、選択されたウェブコンテンツのページアドレスはＷＷＷ４１を介して携帯電話１０に送信される。
【００４０】
コンテンツサイト５０ａは、主としてＷＷＷ５１およびウェブコンテンツ５３を備えて構成されている。ＷＷＷ５１は、ＷＷＷ３１と同様の機能を有するアプリケーションであり、携帯電話１０のブラウザ１１の要求に応じて、ウェブコンテンツ５３に格納されている動画像データ、静止画像データや音声データ等のコンテンツを携帯電話１０に配信する。
【００４１】
＜２．処理フロー＞
ここでは、コンテンツ配信システムにおいて、携帯電話１０からトレーディングカード６０に記載された識別コード６１を入力して、コンテンツサイト５０からウェブコンテンツが配信されるまでの処理フローについて説明する。図９に識別コード６１からウェブコンテンツ配信までの処理フローを示すブロック図を、図１０に、選択部４２においてコンテンツサイト５０のページアドレスを選択する処理手順をそれぞれ示す。以下に示すように、ウェブコンテンツ配信処理は大きく分けると、（１）変換サーバ３０による識別コードの変換処理、（２）コンテンツ選択サーバによるウェブコンテンツのページアドレス選択処理、（３）ウェブコンテンツの配信処理、の３つに分けることができる。
【００４２】
（１）　変換サーバによる識別コードの変換処理
コンテンツ配信システムでは、まず、変換サーバ３０において、ステップＳ１０１〜Ｓ１０５の手順にしたがって、携帯電話１０から入力される識別コードをコンテンツ選択サーバ４０のページアドレスに変換する変換処理を実行する。
【００４３】
携帯電話１０はインターネット２０を介して変換サーバ３０に接続する（Ｓ１０１）。携帯電話１０と変換サーバ３０との接続が確立すると、変換サーバ３０は、ウェブコンテンツ３６に格納された識別コード入力画面３６１を携帯電話１０に配信する（Ｓ１０２）。続いて、携帯電話１０の利用者は、画面１２に表示された識別コード入力画面３６１（図３（ａ）参照）から、トレーディングカード６０に記載された識別コード６１を入力する。当該識別コード６１は、携帯電話１０から変換サーバ３０に送信される（Ｓ１０３）。続いて、識別コード６１を受信した変換サーバ３０は、変換部３２によって変換テーブル３４の「識別ＩＤ」を検索して識別コード６１と一致するレコードを抽出し（Ｓ１０４）、抽出したレコードの「ページアドレス」の値を、コンテンツ選択サーバ４０として携帯電話１０に送信する（Ｓ１０５）。
【００４４】
（２）　コンテンツ選択サーバによるページアドレス選択処理
続いて、コンテンツ配信システムでは、コンテンツ選択サーバ４０において、ステップＳ１０６〜Ｓ１１０にしたがって、携帯電話１０に配信するウェブコンテンツのページアドレスの選択を行う。
【００４５】
まず、携帯電話１０はステップＳ１０４において特定されたページアドレスで指定されるコンテンツ選択サーバ４０に接続する（Ｓ１０６）。携帯電話１０とコンテンツ選択サーバ４０との接続が確立すると、コンテンツ選択サーバ４０は、ウェブコンテンツ３６ウェブコンテンツ４８に格納された課金コード入力画面４８３を携帯電話１０に配信する（Ｓ１０７）。続いて、携帯電話１０の利用者は、画面１２に表示された課金コード入力画面４８３（図３（ｂ）参照）から、課金カード７０に記載された課金コード７１およびパスワード７２を入力する。課金コード７１およびパスワード７２は、携帯電話１０からコンテンツ選択サーバ４０に送信される（Ｓ１０８）。
【００４６】
続いて、選択部４２において、携帯電話１０に配信するウェブコンテンツのページアドレスを選択する（Ｓ１０９）。図１０に、選択部４２におけるウェブコンテンツのページアドレス選択処理の手順を示す。ステップＳ１０８においてコンテンツ選択サーバ４０に送信された課金コード７１およびパスワード７２は、ＷＷＷ４１を介して選択部４２に入力される（Ｓ２０１）。
【００４７】
次に、課金コード入力画面４８３によって入力された課金コード７１およびパスワード７２が、ウェブコンテンツ使用料を前払いした利用者であるかどうかの確認処理を行う（Ｓ２０２）。ステップＳ２０２では、利用者によって入力された課金コード７１の値によって課金コード管理テーブル４６の「課金ＩＤ」を検索し、課金コード７１と「課金ＩＤ」とが一致するレコードを抽出する。続いて、抽出したレコードに含まれる「暗証コード」とパスワード７２との比較し、両者が一致しない場合は、ウェブコンテンツのページアドレスの選択処理を終了する。一方、「暗証コード」とパスワード７２とが一致する場合、ウェブコンテンツ使用料を前払いした利用者であると判断して選択処理を続行する。
【００４８】
続いて、利用者のウェブコンテンツ使用料の残高の確認処理を行う（Ｓ２０３）。ところで、本実施形態では、前述したようにウェブコンテンツ使用料に対応する「配信上限数」を使用して課金処理を行っている。したがって、課金コード管理テーブル４６の「配信回数」と「配信上限数」とを比較することによりウェブコンテンツ使用料の残高が存在するか否かを判定することができる。
【００４９】
ステップＳ２０２において課金コード管理テーブル４６から抽出したレコードに含まれる「配信回数」と「配信上限数」とを比較する。「配信回数」≧「配信上限数」となる場合は、前払いしたウェブコンテンツ使用料の残高がなくなったと判断して、ウェブコンテンツのページアドレスの選択処理を終了する。一方、「配信回数」＜「配信上限数」となる場合は、前払いしたウェブコンテンツ使用料の残高ありと判断して選択処理を続行する。
【００５０】
続いて、携帯電話１０の属性の確認処理を行う（Ｓ２０４）。ところで、市場には様々な種類の携帯電話１０が流通しており、それら携帯電話１０の中には動画像データを再生する機能や、音声データを再生する機能を有しないものも存在する。ここでは、すべての携帯電話１０に対して最適なウェブコンテンツを配信するために、各携帯電話１０につき、動画再生機能、音声再生機能、静止画像表示機能等を有するかどうかの確認を行い、その確認結果を携帯属性変数Ａとして記憶装置４９の一時変数４９１に保存する。なお、携帯属性変数Ａは、コンテンツサイト用テーブル４４の「コンテンツ属性」に対応する変数であり、本実施形態において携帯属性変数Ａには、動画再生機能および音声再生機能を有する携帯電話１０の場合は「１０」が、静止画像表示機能のみを有する携帯電話１０の場合は「２０」が、音声再生機能のみを有する場合は「３０」がそれぞれ格納される。
【００５１】
続いて、携帯電話１０の画面１２に分岐画面を表示するか否かの確認を行う（Ｓ２０５）。分岐画面の一例を図３（ｃ）に示す。分岐画面４８１は、図３（ｃ）に示すように、携帯電話１０からコンテンツ選択サーバ４０ａへの接続回数が所定値となった場合にコンテンツ選択サーバ４０ａから携帯電話１０に配信され、画面１２に表示されるウェブコンテンツである。利用者は、分岐画面４８１に表示される複数のボタン４８２（４８２ａ〜４８２ｃ）のうち１つを押すことにより、同一接続回数であっても異なったウェブコンテンツの配信を受けることができる。ステップＳ２０５では、接続回数が所定値の場合は、携帯電話１０の画面１２に分岐画面４８１を表示しステップＳ２０６に進む。一方、接続回数が所定値に一致しない場合は、ステップＳ２０７に進む。
【００５２】
なお、本実施形態において、携帯電話１０からコンテンツ選択サーバ４０への接続回数は、ステップＳ２０２において課金コード管理テーブル４６から抽出したレコードに含まれる「配信回数」に「１」を加えたものが使用される。また、当該接続回数は、記憶装置４９の一時変数４９１に確保された接続回数変数Ｃに代入されて保存される。
【００５３】
ステップＳ２０６では、分岐画面４８１のいずれのボタン４８２が押されたかを確認し、その確認結果を分岐変数Ｄとして記憶装置４９の一時変数４９１に保存する。なお、分岐変数Ｄは、コンテンツサイト用テーブル４４の「分岐コード」に対応する変数であり、本実施形態において、ボタン４８２ａ、ボタン４８２ｂ、ボタン４８２ｃが押された場合、分岐変数Ｄにはそれぞれ「０」、「１」、「２」が格納される。一方、ステップＳ２０７では、分岐画面４８１が表示されずボタン４８２が押されることがないため、分岐変数Ｄには、「０」が格納される。
【００５４】
続いて、コンテンツサイト用テーブル４４の「コンテンツ属性」、「接続回数」および「分岐コード」と、一時変数４９１に格納された携帯属性変数Ａ、接続回数変数Ｃおよび分岐変数Ｄとを比較し、すべてが一致するレコードを抽出する（Ｓ２０８）。例えば、例えば、携帯属性変数Ａ＝「１０」、接続回数変数Ｃ＝「３」、分岐変数Ｄ＝「２」の場合、「コンテンツＩＤ」＝「１００２５」のレコードが抽出される。
【００５５】
続いて、抽出されたレコードから「ページアドレス」の値がウェブコンテンツのページアドレスとして選択される（Ｓ２０９）。例えば、ステップＳ２０８の例の場合、携帯電話１０には、「ｗｗｗ．ｅｅｅｅｅｅｅ．ｅｅ．ｊｐ／ｘｘｘ」がウェブコンテンツのページアドレスとして選択される。そして、ステップＳ２０９で選択されたページアドレスが、携帯電話１０に送信され（Ｓ１１０）、併せてステップＳ２０２において課金コード管理テーブル４６から抽出したレコードに含まれる「配信回数」の値に「１」を加えたものが新たな「配信回数」として保存される。
【００５６】
（３）　ウェブコンテンツの配信
ここでは、携帯電話１０からコンテンツサイト５０に接続して、ウェブコンテンツの配信を受ける。まず、携帯電話１０は、Ｓ２０８で選択されたページアドレスを基にしてコンテンツサイト５０に接続する（Ｓ１１１）。コンテンツサイト５０は、携帯電話１０によって指定されたページアドレスに基づき、記憶装置５２のウェブコンテンツ５３から所定のコンテンツ（例えば、配信動画５３１）を選択する。続いて、コンテンツサイト５０は、選択されたコンテンツをＷＷＷ５１によって携帯電話１０に配信する（Ｓ１１２）。その結果、画面１２には、図３（ｄ）に示すように、配信動画５３１が表示される。
【００５７】
＜３．本実施形態のコンテンツ配信システムの利点＞
以上、本実施の形態では、トレーディングカード６０等の印刷物に記載された複数の数字によって構成される識別コード６１を携帯電話１０から入力すると、変換サーバ３０およびコンテンツ選択サーバ４０とが協働することにより、印刷物の内容に関連するウェブコンテンツのページアドレスを選択することができるため、利用者は、面倒な文字入力操作をすることなく、ウェブコンテンツの配信を受けることができる。
【００５８】
コンテンツ選択サーバ４０は、接続回数毎に異なったウェブコンテンツを携帯電話１０に配信することができるため、従来のモバイルウェブシステムのように変換テーブル３４にウェブコンテンツ毎に、識別コード６１と、当該識別コード６１に対応するページアドレスとを格納する必要がないため、変換テーブル３４のデータ量が増大することを防止でき、その結果、変換テーブル３４の管理効率が低下することを防止できる。
【００５９】
また、コンテンツ選択サーバ４０は、携帯電話１０の属性に応じてウェブコンテンツのページアドレスを選択することができるため、利用者は、携帯電話１０の属性に適応したウェブコンテンツの配信を受けることができる。
【００６０】
さらに、コンテンツ選択サーバ４０は、携帯電話１０からの接続回数が所定値の場合、分岐画面４８１のボタン４８２によって（図３（ｃ）参照）、複数のウェブコンテンツから１つを選択することができるため、利用者は、同一接続回数であっても、異なったウェブコンテンツの配信を受けることができる。
【００６１】
トレーディングカード６０等の印刷物が販売される際に、当該印刷物とともに配布される課金カード７０に記載された課金コードおよびパスワードによって、課金処理を行うことができるため、ウェブコンテンツ提供者は、ウェブコンテンツ配信毎に配信料を徴収する必要がなく、利用者は、ウェブコンテンツ配信毎に配信料を支払うための煩雑な手続き行う必要がない。
【００６２】
＜４．変形例＞
以上、本発明について説明してきたが、本発明は上記実施の形態に限定されるものではなく様々な変形が可能である。
【００６３】
図１および図２に示すように、コンテンツ選択サーバ４０は、複数のサーバによって構成されているが、これに限定されるものではなく、１台のコンテンツ選択サーバ４０ａによって構成されてもよい。また、コンテンツサイト５０も、コンテンツ選択サーバ４０と同様に複数のサイトによって構成されているが、これに限定されるものではなく、１台のコンテンツサイト５０ａによって構成されてもよい。
【００６４】
さらに、上記実施形態においては、携帯電話１０からの接続回数が所定値の場合、分岐画面４８１にて複数のウェブコンテンツから１つを選択するようにしていたが、分岐画面４８１を使用せずに複数のウェブコンテンツからランダムに１つを選択するようにしても良い。
【００６５】
【発明の効果】
請求項１から請求項７に記載の発明によれば、携帯電話は、識別コードからウェブコンテンツをインターネットアドレスを提示を受ける、印刷内容に応じたウェブコンテンツにアクセスすることができる。そのため、携帯電話の利用者は、識別コードを指定するだけで、面倒な入力操作を行うことなく、印刷物の内容に応じたウェブコンテンツの配信を受けることができる。
【００６６】
特に、請求項２に記載の発明によれば、選択アプリケーションにアクセスした携帯電話の属性を特定し、当該携帯電話の属性に適応したウェブコンテンツを選択することができるため、携帯電話の利用者は、携帯電話の属性に適応したウェブコンテンツの配信を受けることができる。
【００６７】
特に、請求項３に記載の発明によれば、属性特定手段によって携帯電話が動画再生機能と音声出力機能とを備えていることが判明したときに、動画および音際を含むウェブサイトを選択することができるため、携帯電話の利用者は、動画および音声を含むウェブコンテンツの配信を受けることができる。
【００６８】
特に、請求項４に記載の発明によれば、携帯電話の利用者は、選択アプリケーションへのアクセス回数に応じたウェブコンテンツの配信を受けることができる。
【００６９】
特に、請求項５に記載の発明によれば、同一の携帯電話からのアクセス回数とウェブコンテンツ群とを相互に対応させた選択テーブルから、携帯電話のアクセス回数に対応するウェブコンテンツ群が取得され、続いて、この取得されたウェブコンテンツ群から配信すべきコンテンツが特定されることにより、携帯電話には、同一のアクセス回数であっても異なったインターネットアドレスが提示される。そのため、携帯電話の利用者は、同一のアクセス回数であっても、異なったコンテンツの配信を受けることができる。
【００７０】
特に、請求項６に記載の発明によれば、携帯電話の利用者は、トレーディングカードの印刷内容に応じたウェブコンテンツの配信を受けることができる。
【００７１】
特に、請求項７に記載の発明によれば、識別コードとともに課金コードが指定されることにより、コンテンツ配信時に課金コードの残額から配信料を減額することができるため、ウェブコンテンツ提供者は、コンテンツの配信料を前払いで徴収することができ、また、携帯電話の利用者は、コンテンツの配信を受ける度に配信料を支払いのための煩雑な手続きを行う必要がない。
【図面の簡単な説明】
【図１】本実施の形態におけるコンテンツ配信システムの全体構成を示す図である。
【図２】本実施の形態におけるコンテンツ配信システムのブロック構成図である。
【図３】携帯電話の表示例を示す図である。
【図４】トレーディングカードの一例を示す図である。
【図５】変換サーバが備える変換テーブルの一例を示す図である。
【図６】課金コード管理テーブルの一例を示す図である。
【図７】課金カードの一例を示す図である。
【図８】コンテンツサイト選択サーバが備えるコンテンツサイト用テーブルの一例を示す図である。
【図９】本実施の形態におけるコンテンツの配信手順を示すブロック図である。
【図１０】選択部におけるコンテンツサイトを選択する処理手順を示すフローチャートである。
【符号の説明】
１０　携帯電話
２０　インターネット
３０　変換サーバ
４０　コンテンツ選択サーバ
５０　コンテンツサイト
６０　トレーディングカード
７０　課金カード
【図１】
2004070652.tif 000003
【図２】
2004070652.tif 000004
【図３】
2004070652.tif 000005
【図４】
2004070652.tif 000006
【図５】
2004070652.tif 000007
【図６】
2004070652.tif 000008
【図７】
2004070652.tif 000009
【図８】
2004070652.tif 000010
【図９】
2004070652.tif 000011
【図１０】
2004070652.tif 000012